(57)【要約】      （修正有）【課題】  斜め剛性、曲げ剛性、寸法安定性、走行安定性、耐フィブリル化性、耐摩耗性に優れた工業用織物と、それに使用するポリアミド樹脂フィラメントを提供する。【解決手段】メタキシレンジアミンとアジピン酸の重縮合反応から得られた結晶性のポリアミド（Ａ）５〜５０重量％と、その他のポリアミド（Ｂ）９５〜５０重量％を配合してなるポリアミド樹脂組成物からなるフィラメントであって、且つ定長状態（初期荷重２０ｍｇ／ｄ）で加熱（１６０〜２００℃）後、８０℃以下での降温領域で熱収縮応力が低下しないことを特徴とするポリアミド樹脂フィラメントと、これを用いた工業用織物。【選択図】図１
2006144144.tif 000002
【特許請求の範囲】
【請求項１】
メタキシレンジアミンとアジピン酸の重縮合反応から得られた結晶性のポリアミド（Ａ）５〜５０重量％と、その他のポリアミド（Ｂ）９５〜５０重量％を配合してなるポリアミド樹脂組成物からなるフィラメントであって、且つ定長状態（初期荷重２０ｍｇ／ｄ）で加熱（１６０〜２００℃）後、８０℃以下での降温領域で熱収縮応力が低下しないことを特徴とする工業用織物に用いるポリアミド樹脂フィラメント。
【請求項２】
ポリアミド樹脂フィラメントがモノフィラメントまたはマルチフィラメントである、請求項１に記載された工業用織物に用いるポリアミド樹脂フィラメント。
【請求項３】
ポリアミド（Ｂ）が、ポリアミド６、ポリアミド６６、ポリアミド６１０、ポリアミド６１２、ポリアミドの共重合体のいずれか１つまたは２以上のブレンドによって得られたポリアミドである、請求項１または２に記載された工業用織物に用いるポリアミド樹脂フィラメント。
【請求項４】
結晶性ポリアミド（Ａ）を２０〜４０重量％、その他のポリアミド（Ｂ）を８０〜６０重量％配合した、請求項１ないし３のいずれか１項に記載された工業用織物に用いるポリアミド樹脂フィラメント。
【請求項５】
請求項１ないし４のいずれか１項に記載されたポリアミド樹脂フィラメントを経糸、緯糸の少なくとも１部に使用した工業用織物。
【発明の詳細な説明】
【技術分野】
【０００１】
本発明は、特定の２種のポリアミドを一定量配合して、加熱降温時室温領域で熱収縮応力が低下しない工業用織物に用いるポリアミド樹脂フィラメント及びこのフィラメントを用いた工業用織物に関するものであり、斜め剛性、曲げ剛性等の織物剛性や織り合わせ強度、寸法安定性、走行安定性、耐フィブリル化特性、耐摩耗性、耐湿熱性、耐熱性、耐薬品性等に優れ、構成糸の目ズレのない安定した製紙用織物や脱水機用ろ布、搬送用ベルト等の工業用織物として好適に使用できる工業用織物である。
【背景技術】
【０００２】
従来から工業用織物としては合成樹脂製モノフィラメントを経糸、緯糸に用いて製織した織物が広く使用されており、例えば製紙用織物やろ布、搬送用ベルト等その他にも多くの分野で使用されており、用途や使用環境に応じた織物特性が要求されている。特に織物の網目を利用して原料の脱水等を行う製紙工程で使用される抄紙用織物での要求は厳しく、過酷な環境下においても好適に使用できる程度の斜め剛性、曲げ剛性等の織物剛性、寸法安定性、耐摩耗性を具備するもの、良好な紙を製造するために必要な条件を長期間持続することのできる織物等が要求されている。その他にも表面性、繊維支持性、製紙原料の歩留まりの向上、良好なろ水性、走行安定性等が要求されている。さらに近年では抄紙マシンが高速化しているため、それに伴い抄紙用ワイヤーへの要求も一段と厳しいものとなっている。
【０００３】
このように工業用織物の中でも最も要求が厳しい抄紙用織物について説明すればほとんどの工業用織物の要求とその解決について理解できるので、以下抄紙用織物を代表して本発明を説明する。
抄紙用織物として要求される物性には、剛性、寸法安定性、耐摩耗性、表面性、繊維支持性、製紙原料の歩留まりの向上、良好なろ水性、走行安定性等があり、これらの要求を満たすための方法として織物組織や糸材質、製織条件等様々な研究と試作が行われてきた。その中でも織物の物性を決定づける要因として特に織物構成糸に起因する部分が大きく主成分の検討、添加物、配合比、糸特性等鋭意研究がなされてきた。
特開２０００−１４４５３１号公報には耐摩耗性、熱セット性に優れたポリアミドモノフィラメント、およびこれを用いたナックル部が強固で安定した織面保持可能な産業用布帛に関する発明が開示されている。この発明は２つのポリアミドを共重合させたモノフィラメントに関するものであり、その成分と配合比、そしてアミド基濃度と溶融粘度に特徴を有する。
該ポリアミドモノフィラメントは湿／乾引っ張り強さ比が８５％以上、湿／乾曲げ硬さ比が５５％以上、吸脱湿による長手方向の最大寸法変化が４％以下、且つ１００℃〜融点の温度、緊張状態で熱セットした後、そのままの状態で冷却し、常温到達時の糸張力と熱処理前の糸張力の比で示される熱セット張力比が２倍以上であることから、ポリアミドの持つ耐摩耗性等の優れた特徴を損なうことなく、乾燥時と湿潤時の特性差が小さく、且つ熱セット性に優れており、織物状にしても熱修正を容易に行うことができ、ナックル部が強固で使用時に目ズレを起こすことがなく、安定した織面の保持ができる、と示されている。しかし、このポリアミドモノフィラメントの湿／乾引っ張り強さ比、湿／乾曲げ硬さ比、吸脱湿による長手方向の最大寸法変化、熱セット張力比等の物性値は特別なものではなく、一般的なポリアミドモノフィラメント、共重合ポリアミドモノフィラメントの物性値に該当するものである。特に熱セット張力比においては、通常の６ナイロンであっても熱セット後の張力は２倍以上になること、最大寸法変化が４％以下となることは周知のことであり、一般的な事実である。また、単に湿／乾剛性が高く熱セット張力比が向上したとしても、それだけでは工業用織物としたときにナックル部が強固で使用時に目ズレが起きにくい安定した織物になるとはいえない。
【０００４】
このように、例え新規な構成のポリアミドモノフィラメントであったとしても、それによって製織された織物が目的の工業用織物に適した物性を得ることができなければそれを工業用織物として使用する価値はなく、その上この従来公報に示す織物では産業用織物として必要とする斜め剛性、曲げ剛性等の織物剛性、寸法安定性、耐摩耗性、表面性、走行安定性等も十分に得ることは困難である。
【特許文献１】特開２０００−１４４５３１
【発明の開示】
【発明が解決しようとする課題】
【０００５】
本発明は、斜め剛性、曲げ剛性等の織物剛性や織り合わせ強度、寸法安定性、走行安定性、耐フィブリル化特性、耐摩耗性、耐湿熱性、耐熱性、耐薬品性等に優れ、構成糸の目ズレのない安定した工業用織物及びその構成糸を提供するものである。
【課題を解決するための手段】
【０００６】
本発明で、メタキシレンジアミンとアジピン酸の重縮合反応から得られたポリアミドをポリアミド（Ａ）といい、その他のポリアミドをポリアミド（Ｂ）という。また、ポリアミド（Ａ）５〜５０重量％とポリアミド（Ｂ）９５〜５０重量％をブレンドしたポリアミドから構成された糸をポリアミド樹脂フィラメント（Ｍ）という。
【０００７】
本発明は、
「１．  メタキシレンジアミンとアジピン酸の重縮合反応から得られた結晶性のポリアミド（Ａ）５〜５０重量％と、その他のポリアミド（Ｂ）９５〜５０重量％を配合してなるポリアミド樹脂組成物からなるフィラメントであって、且つ定長状態（初期荷重２０ｍｇ／ｄ）で加熱（１６０〜２００℃）後、８０℃以下での降温領域で熱収縮応力が低下しないことを特徴とする工業用織物に用いるポリアミド樹脂フィラメント。
２．    ポリアミド樹脂フィラメントがモノフィラメントまたはマルチフィラメントである、１項に記載された工業用織物に用いるポリアミド樹脂フィラメント。
３．  ポリアミド（Ｂ）が、ポリアミド６、ポリアミド６６、ポリアミド６１０、ポリアミド６１２、ポリアミドの共重合体のいずれか１つまたは２以上のブレンドによって得られたポリアミドである、１または２項に記載された工業用織物に用いるポリアミド樹脂フィラメント。
４．  結晶性ポリアミド（Ａ）を２０〜４０重量％、その他のポリアミド（Ｂ）を８０〜６０重量％配合した、１項ないし３項のいずれか１項に記載された工業用織物に用いるポリアミド樹脂フィラメント。
５．  １項ないし４項のいずれか１項に記載されたポリアミド樹脂フィラメントを経糸、緯糸の少なくとも１部に使用した工業用織物。」
に関する。
【発明の効果】
【０００８】
本発明は特定の２種のポリアミドを一定量配合して、加熱降温時室温領域で熱収縮応力が低下しないポリアミド樹脂フィラメント、およびそれを織物構成糸として利用した工業用織物に関するものであり、この織物は斜め剛性、曲げ剛性等の織物剛性や織り合わせ強度、寸法安定性、走行安定性、耐フィブリル化特性、耐摩耗性、耐湿熱性、耐熱性、耐薬品性等に優れ、構成糸の目ズレのない安定した製紙用織物や脱水機用ろ布、搬送用ベルト等の工業用織物として好適に使用できる。
【発明を実施するための最良の形態】
【０００９】
前述の問題を解決するために、本発明はメタキシレンジアミンとアジピン酸の重縮合反応から得られた結晶性のポリアミド（Ａ）５〜５０重量％と、その他のポリアミド（Ｂ）９５〜５０重量％を配合してなり、且つ定長状態（初期荷重２０ｍｇ／ｄ）で加熱（１６０〜２００℃）後、８０℃以下での降温領域で熱収縮応力が低下しないポリアミド樹脂フィラメント（Ｍ）であり、また該ポリアミド樹脂フィラメント（Ｍ）を経糸、緯糸の少なくとも一部に使用した工業用織物とした。本発明の織物は斜め剛性、曲げ剛性等の織物剛性、寸法安定性、走行安定性、耐摩耗性、耐湿熱性、耐フィブリル化性、耐薬品性に優れ、構成糸の目ズレのない安定した織物となる。
【００１０】
本発明で使用するメタキシレンジアミンとアジピン酸の重縮合反応から得られた結晶性のポリアミド（Ａ）は、耐加水分解性、耐湿熱性、耐乾熱性、耐摩耗性に優れ、高強度、高剛性を特徴とするものであり、一方、その他のポリアミド（Ｂ）は、ポリアミド６、ポリアミド６６、ポリアミド６１０、ポリアミド６１２等があり、他にもポリアミドの共重合体、１または２以上のポリアミドをブレンドしたポリアミド等をいい、耐摩耗性、耐シャワー性に優れるものである。
【００１１】
本発明の構成糸であるポリアミド樹脂フィラメント（Ｍ）は、結晶性のポリアミド（Ａ）と、その他のポリアミド（Ｂ）の配合比が重要であり、例えば結晶性のポリアミド（Ａ）を５０重量％より多くすると、剛直で耐フィブリル化特性の弱いポリアミド（Ａ）がポリマーの海島状態の海となり結晶性のポリアミド（Ａ）の持つ剛直さがフィラメントの物性に大きく影響し、耐フィブリル化特性が大きく低下し、フォイル等の接触物もしくは高圧シャワー等によって割れが生じることがある。
結晶性のポリアミド（Ａ）を５重量％より少なくすると、耐熱性、耐乾熱性、耐薬品性、耐摩耗性が低下し、工業用織物に適したフィラメントではなくなる。発明者の鋭意研究の結果、メタキシレンジアミンとアジピン酸の重縮合反応から得られた結晶性のポリアミド（Ａ）を５〜５０重量％、そしてその他のポリアミド（Ｂ）を９５〜５０重量％配合したポリアミドフィラメントとするとよく、より好ましくは結晶性ポリアミド（Ａ）を２０〜４０重量％、その他のポリアミド（Ｂ）を８０〜６０重量％配合したフィラメントとするとよい。
さらに、ポリアミド樹脂フィラメント（Ｍ）は特別の物性すなわち、定長状態（初期荷重２０ｍｇ／ｄ）で加熱（１６０〜２００℃）後、そこから降温していき、８０℃以下の降温領域間で熱収縮応力が低下しない、つまり８０℃以下で熱収縮応力が上昇するか一定であるという物性を具備するフィラメントである。一般的に工業用織物は製織後、糸同士の交点に互いにナックル形状をつけ織物の姿勢を安定させる目的で１６０〜２００℃程度の温度で熱セットが行われている。もし加熱を行わないと、織物を形成する糸が単に重なって交差しているだけの織物となってしまうため、目ズレが生じ、グズの大きい織物となってしまう。合成樹脂フィラメントは加熱されることで経糸と緯糸の交点で交差する糸同士が絡むように互いの糸形状に沿ったナックルが形成され、さらに加熱により熱収縮応力が上昇するため糸に張力がかかり交差している互いの糸が強力に絡み合い織物全体として姿勢の安定した織物となる。工業用織物として剛性、寸法安定性に優れるポリエステルモノフィラメントでは降温時における熱収縮応力の低下はほとんど見られなく、常温でも一度熱セットしたものはしっかりとナックル形状が形成され、目ズレや織物のガタ等の問題はなく、そのためポリエステルモノフィラメントのみで構成された工業用織物も使用されているが、耐摩耗性、耐衝撃性向上の目的からポリエステルモノフィラメントとポリアミドモノフィラメントを交織している織物が多い。
【００１２】
一般的な交織織物ではポリアミドモノフィラメントが吸水により剛性、寸法安定性が低下し、工業用織物として満足できない部分がある。また熱セットしてもポリエステルモノフィラメントと異なり織物の目ズレが生じやすく、グズの大きい織物となってしまう。一般的なポリアミドモノフィラメントは、加熱されることで経糸と緯糸の交点で交差する糸同士が絡むように互いの糸形状に沿ったナックルが形成され、さらに加熱により熱収縮応力が上昇するため糸に張力がかかり交差している互いの糸が強力に絡み合い織物全体として姿勢の安定した織物となるが、熱セット後、降温過程において次第に熱収縮応力が低下していき、高温時に強力に織り込まれていた経糸、緯糸の張力も低下する。例えば６ナイロン、６１０ナイロン、６・６６共重合ナイロンでは１６０〜２００℃程度で熱収縮応力が最大となり、その後降温により熱収縮応力が低下してしまう。特に６１０ナイロンでは収縮応力の低下が著しい。つまり、このようなポリアミドモノフィラメントにより製織された工業用織物は、熱セットによりいったん形成されたナックル形状がだれてしまい、熱収縮応力の低下により交差する糸同士に隙間が生じ、目ズレや糸の移動のある織物となってしまう。たとえポリエステルモノフィラメントと交織したとしてもポリアミドモノフィラメントの熱収縮応力の低下は同じことがいえる。
本発明では、製織した織物の構成糸であるポリアミド樹脂フィラメント（Ｍ）が、加熱後、８０℃以下での降温領域で熱収縮応力が低下しないため、織物として特に斜め剛性、曲げ剛性に優れ、糸の目ズレのない安定した工業用織物にできる。
本発明の織物では、該ポリアミド樹脂フィラメントを織物構成糸の少なくとも一部に使用した織物とすればよく、経糸の一部、緯糸の一部、あるいは経糸、緯糸の全部に使用でき、一般的に耐摩耗性、耐シャワー性等が要求されるポリアミドに代わって緯糸として配置すると好ましい。もちろん、降温過程で熱収縮応力がほとんど低下しないポリエステル樹脂フィラメントと交織してもよく、そのような織物とすることで目ズレや織物のガタが生じにくく、さらに斜め剛性、曲げ剛性、寸法安定性、走行安定性、耐摩耗性、耐湿熱性、耐乾熱性、耐フィブリル化性、耐薬品性等に優れた織物となる。
【００１３】
織物の構造は単層織物から二重織物、三重織物等の多層織物が適用でき、織組織についても特に限定されない。二重織物の上面側緯糸や、上面側緯糸間に配置される小径の補助緯糸、接結糸、下面側緯糸の一部等に使用してもよい。糸の構成としても、モノフィラメントやマルチフィラメント、捲縮等様々な糸として利用できる。
さらに、該工業用織物に防汚樹脂加工等を施してももちろん構わない。特にポリアミド樹脂フィラメントに吸着しやすい樹脂等を用いると、使用初期から使用末期まで防汚効果を長期間維持することができる。
【実施例】
【００１４】
本発明の実施例について従来例と比較しながら説明する。
本発明の構成のモノフィラメントとその他のモノフィラメント、そしてそれらのモノフィラメントを用いて製織した織物の工業用途で必要とされる諸物性について測定した。まず初めに、数種類の材質の異なるモノフィラメントの熱収縮応力測定を行った。
【００１５】
１．モノフィラメントの比較試験
１−１．モノフィラメントの熱収縮応力測定試験
各サンプルを熱収縮応力試験機（カネボウ製）を用いて、定長状態（初期荷重２０ｍｇ／ｄ）で加熱（１８０℃）し、その後室温まで降下させ、８０℃以下の降温領域での熱収縮応力を比較した（図１参照）。
「サンプル」
・    サンプル１・・・本発明のポリアミドモノフィラメント（Ｍ１）であり、メタキシレンジアミンとアジピン酸の重縮合反応から得られた結晶性のポリアミド（Ａ）２５重量％と、６ナイロン（Ｂ）７５重量％を配合してなる。
・    サンプル２・・・本発明のポリアミドモノフィラメント（Ｍ２）であり、メタキシレンジアミンとアジピン酸の重縮合反応から得られた結晶性のポリアミド（Ａ）５重量％と、６ナイロン（Ｂ）９５重量％を配合してなる。
・    サンプル３・・・６ナイロン
・    サンプル４・・・６・６６共重合ナイロン
・    サンプル５・・・６１０ナイロン
【００１６】
熱収縮応力試験結果
この試験は織物構成糸の熱収縮応力を測定した試験であり、この試験結果より各糸サンプルを用いて織物としたときの、熱セット後の織物の姿勢安定性の指標とした。通常工業用織物は姿勢安定性を目的として製織後１６０〜２００℃程度の温度で熱セットしてから使用されるため、その熱セットを想定し、熱セット後の織物の姿勢安定性を評価した。図１の右側の軸は温度（℃）を示し、左側の軸は熱収縮応力（ｇ）を示す。点線は温度のグラフであり、室温から１８０℃まで加熱し、その後室温まで降温させている。また太線は本発明のポリアミドモノフィラメント（Ｍ１）と、本発明のポリアミドモノフィラメント（Ｍ２）の熱収縮応力を示す。
全てのポリアミドモノフィラメントを同じ条件下で１８０℃まで加熱し、その後室温まで降温し８０℃以下の降温領域での熱収縮応力を比較した。
図１にある全ての糸において昇温過程では徐々に熱収縮応力が上昇している。そして、その後降温過程では徐々に熱収縮応力が降下していく傾向に見られる。サンプル３〜５では熱セット後、熱収縮応力の低下に伴い張力は徐々に低下し、ナックル間に隙間ができて織物の目ズレやガタが発生してしまう。しかし、８０℃以下の降温領域において、本発明のポリアミドモノフィラメント（Ｍ１）の熱収縮応力は徐々に上昇している。また、本発明のポリアミドモノフィラメント（Ｍ２）も、８０℃以下の降温領域で熱収縮応力が低下することなく、ほぼ一定値を保っている。熱収縮応力が上昇するということは、加熱された構成糸は織物状態で、経糸と緯糸の交点で交差する糸同士が絡み互いの糸形状に沿ったナックルが形成され、熱収縮応力の上昇によって糸に張力がかかり交差している糸が強力に絡み合い織物全体として姿勢の安定した織物となる。
【００１７】
本発明のポリアミドモノフィラメント（Ｍ１）、（Ｍ２）は、いったん熱収縮応力は低下するが、他のポリアミドに比べて低下の巾が小さく、また８０℃以下の降温過程において熱収縮応力が低下しないため、ナックル形状が維持され、目ズレや織物のガタ等の問題がなく、織物の姿勢安定性、斜め剛性、曲げ剛性に優れた織物となる。
サンプル２（Ｍ２）では（Ａ）が５重量％、（Ｂ）が９５重量％のポリアミドモノフィラメントであり、８０℃以下での降温領域で熱収縮応力がほぼ一定である。（Ａ）の配合割合を５重量％よりも少なくすると熱収縮応力が低下の一途を辿ってしまうため好ましくない。（Ａ）を最低でも５重量％以上配合する必要がある。また、サンプル１、２では（Ｂ）に６ナイロンを用いたが、その他にも、６６Ｎ、６１０Ｎ、６１２Ｎ等を使用してもよい。ただし、６Ｎを配合したモノフィラメントが熱収縮応力の低下が最も小さく好ましい。
また、配合比は（Ａ）：（Ｂ）＝５以上：９５以下とすれば降温域で熱収縮応力が低下しないモノフィラメントとなるが、工業用織物として必要とされる物性の織物とするためには、（Ａ）：（Ｂ）＝５０：５０を上限とするとよい。
その他のポリアミドモノフィラメントであるサンプル３、４、５は、室温に近くなるに連れて徐々に熱収縮応力が低下していき、特に６１０ナイロンは熱セット後急速に熱収縮応力が低下していき定長状体を保つこともできない程である。これらのポリアミドモノフィラメントによって製織された工業用織物は、熱セットによりいったん形成されたナックル形状がだれてしまい、熱収縮応力の低下により交差する糸同士に隙間が生じ、目ズレやガタのある織物となってしまい、織物の姿勢安定性、斜め剛性、曲げ剛性等が悪く織物に張力をかけると次第に長さが伸びてしまい、安定した走行を行うことができないのである。
【００１８】
１−２．モノフィラメントの耐衝突割れ試験
モノフィラメントとしての耐衝突割れ試験を行い、ポリエステルモノフィラメントよりも耐衝突割れ性が優れているモノフィラメントのみを、工業用織物として実施可能レベルと判断した。
モノフィラメントの耐衝突割れ試験結果
線径０．２２のモノフィラメントを用い、それぞれを１２０ｍｍの長さに切りそろえ、それらの両端を引き揃えてループを形成した試験サンプルを作成する。そして全てのサンプルが１本のステンレスパイプに同等条件であたるように回転子にサンプルの端部を固定した。そしてループの先端がステンレスパイプにあたるように回転子を１５００ｒｐｍの速度で回転させ、モノフィラメントが割れるまで（割れるまでとは、裂けが生じてきたり、切断するまでとする）の回数を測定し、各種モノフィラメントの耐衝突割れ性について比較した。
【００１９】
【表１】
2006144144.tif 000003
【００２０】
上記結果より、耐衝突割れ性がポリエステルモノフィラメントよりも優れているものは（Ａ）：（Ｂ）が０：１００、２５：７５のモノフィラメントであり、モノフィラメントの段階でポリエステルモノフィラメントよりも耐衝突割れ性が低い（Ａ）：（Ｂ）＝５５：４５のモノフィラメントは、工業用織物として要求される耐シャワー性、耐フィブリル化性が乏しく実用レベルでないと判断した。
以上から、（Ａ）の含有割合は５０重量％が上限であり、それ以上であると剛直で耐フィブリル化特性の弱いポリアミドの物性が大きく影響し、耐衝突割れ性が劣り工業用織物構成糸として使用することが困難である。
【００２１】
「試験１の総括」
試験１−１のモノフィラメントの熱収縮応力試験結果より、熱セット後であっても織物の目ズレ、ガタのない姿勢安定性、走行安定性、斜め剛性、曲げ剛性の優れた織物とするためには、メタキシレンジアミンとアジピン酸の重縮合反応から得られた結晶性のポリアミド（Ａ）５重量％以上、その他のポリアミド（Ｂ）９５重量％以下配合してなるポリアミドモノフィラメントを織物構成糸の一部に使用する必要があり、また、試験１−２モノフィラメントの耐衝突割れ試験結果より、耐シャワー性、耐フィブリル化性等の耐衝突割れ性の優れた織物とするためには、メタキシレンジアミンとアジピン酸の重縮合反応から得られた結晶性のポリアミド（Ａ）５０重量％以下、その他のポリアミド（Ｂ）５０重量％以上配合してなるポリアミドモノフィラメントを織物構成糸の一部に使用する必要がある。つまり、（Ａ）：（Ｂ）を５〜５０：９５〜５０配合したモノフィラメントとすることで工業用途に適したものとなる。
【００２２】
２．織物の比較試験
（Ａ）：（Ｂ）＝２５：７５のモノフィラメントを上緯糸の一部に使用した２層織物を本発明の実施例１とし、６ナイロンモノフィラメントを上緯糸の一部に使用した２層織物を従来例１とした。上緯糸には同径のポリエステルモノフィラメントと１：１で配置した。比較試験２−１、２−２で使用した織物は、上層織物と下層織物を接結糸で織り合わせた二層織物であり、織物の構成糸の線径、線材、打ち込み本数等は同じとし、上緯糸のポリアミドモノフィラメントの材質のみを変えた。
【００２３】
２−１．斜め剛性測定試験・・・織物を１００ｍｍ角に切断し、対角方向に５００ｇの荷重をかけ、その時の伸び量を測定することによって織物の斜め方向の剛性の指標とした（表２参照）。
２−２．曲げモーメント（こわさ）測定試験・・・織物を３０ｍｍ×７０ｍｍと、７０ｍｍ×３０ｍｍに切断した２枚の試験片を用意し、テーバー式スティフネステスター（熊谷理機工業株式会社製）を用いて、織物の縦方向と横方向の曲げモーメントを測定することにより織物剛性の指標とした（表２参照）。
【００２４】
【表２】
2006144144.tif 000004
【００２５】
＊    Ｍ１・・・メタキシレンジアミンとアジピン酸の重縮合反応から得られた結晶性のポリアミド（Ａ）２５重量％以上、その他のポリアミド（Ｂ）７５重量％以下配合してなるポリアミドモノフィラメント
【００２６】
斜め剛性試験結果
この試験は織物の斜め方向の剛性の指標としたものであり、数値が高い程斜め方向の伸び率が大きく、使用時に織物が菱形に変形したり、緯糸が弓状に変形する筋曲がりといわれる現象が発生したり、巾が縮んだりして走行性が悪くなったりすることがある。また、搬送物の重量が重くなると織物の変形等により安定した走行ができなくなることもある。実施例１の織物は０．７％と非常に伸びにくく、それに比べて従来例１の織物は２．１％であり、実施例１よりも伸びやすい織物であることがわかる。
【００２７】
曲げモーメント（こわさ）試験結果
この試験は織物の縦方向と横方向の曲げモーメントを測定するものであり、それを織物剛性の指標とした。曲げモーメントとは試験片に曲げ荷重を加えて一定の撓み変形を与え、その時の荷重量から試料のこわさを求めたものであり、曲げモーメントが高い程織物剛性が高く、織物の変形や筋曲がり、巾縮み等が起こりにくく、安定した織物といえる。実施例１の織物は従来例１、２の織物に比べて縦・横とも曲げモーメントが高く、曲げ剛性に優れた織物であることがわかる。
以上から、従来の織物に比べ本発明の織物は目ズレや織物のガタが生じにくく、斜め剛性、曲げ剛性、寸法安定性に優れ、変形や筋曲がりの起こりにくい安定した織物であることがわかる。
【産業上の利用可能性】
【００２８】
本発明のポリアミドフィラメント（Ｍ）は、剛性、寸法安定性、耐フィブリル化性、耐摩耗性等に優れており、このフィラメントを用いた工業用織物は、織物剛性や、走行安定性、耐摩耗性に優れているので、製紙、コンベアー、ろ布等に使用される。
【図面の簡単な説明】
【００２９】
【図１】数種のポリアミドモノフィラメントの熱収縮応力を示すグラフである。
【図１】
2006144144.tif 000005